(57)【要約】【課題】グリル調理器において、スペースの拡大を図り、受け皿の摺動性を向上すること。【解決手段】調理庫内底面に係止され、前記受け皿下面摺動部を支持し、かつ受け皿の左右方向へのがたつきを抑制し、材質を摩擦係数が低く、高耐熱性を有する金属あるいは樹脂とした底面摺動部材１７と、前記調理庫内側面に係止され前記受け皿の左右方向へのがたつきを抑制し、材質を摩擦係数が低く、高耐熱性を有する金属あるいは樹脂とした側面摺動部材１８を有し、前記調理庫と前記受け皿を被接触にしたものである。【選択図】図３
2010266134.tif 000002
【特許請求の範囲】
【請求項１】
外郭を形成する本体と、開口部を前記本体前面に形成した加熱調理を行うためのホーロー処理した調理庫と、前記開口部を開閉する扉と、調理物等を載置し前記本体前後に摺動自在なホーロー処理した受け皿とを備え、前記調理庫内底面に係止され、前記受け皿下面摺動部を支持しかつ受け皿の左右方向へのがたつきを抑制し、材質を摩擦係数が低く、高耐熱性を有する金属あるいは樹脂とした底面摺動部材と、前記調理庫内側面に係止され前記受け皿の左右方向へのがたつきを抑制し、材質を摩擦係数が低く、高耐熱性を有する金属あるいは樹脂とした側面摺動部材を有し、前記調理庫と前記受け皿は接触しないことを特徴とした加熱調理器。
【請求項２】
受け皿のホーロー処理面に親水性加工を施したことを特徴とする請求項１に記載の加熱調理器。
【請求項３】
受け皿を親水性のホーロー材で構成したことを特徴とする請求項１または２に記載の加熱調理器。
【請求項４】
底面摺動部材と側面摺動部材にはグラファイトを添加したことを特徴とする請求項１〜３のいずれか１項に記載の加熱調理器。
【請求項５】
底面摺動部材と側面摺動部材には二酸化モリブデンを添加したことを特徴とする請求項１〜４のいずれか１項に記載の加熱調理器。
【請求項６】
側面摺動部材の材質をステンレスとしたことを特徴とする請求項１〜５のいずれか１項に記載の加熱調理器。
【発明の詳細な説明】
【技術分野】
【０００１】
本発明は、一般家庭で使用するロースタなどの加熱調理器に関するものである。
【背景技術】
【０００２】
従来、この種の加熱調理器は、受け皿と調理庫との摺動接触部に、レールあるいは突起物を設け、線あるいは点接触として極力摩擦力を減らし、受け皿をスムーズに摺動させるようにしている（例えば、特許文献１参照）。
【０００３】
図４は、特許文献１に記載された従来の加熱調理器を示すものである。図４に示すように、固定体１０４と、可動体１０５と、レール１０６とから構成されている。
【先行技術文献】
【特許文献】
【０００４】
【特許文献１】特開２００６−３２９５２０号公報
【発明の概要】
【発明が解決しようとする課題】
【０００５】
しかしながら、前記従来の構成では、レール１０６を使用することで、摺動性を高めることができるが、レール１０６の構成は、固定体１０４や可動体１０５など固定体内部や可動体に付属される部品を含めると、部品点数も多く、高価となり、またレール１０６用のスペースを庫内に確保した場合、調理物を置くスペースが限られてしまうという課題を有していた。
【０００６】
本発明は、前記従来の課題を解決するもので、グリル部の調理物を置くスペースの拡大を図り、受け皿の摺動性を向上させた加熱調理器を提供することを目的とする。
【課題を解決するための手段】
【０００７】
前記従来の課題を解決するために、本発明の加熱調理器は、外郭を形成する本体と、開口部を前記本体前面に形成した加熱調理を行うためのホーロー処理した調理庫と、前記開口部を開閉する扉と、調理物等を載置し前記本体前後に摺動自在なホーロー処理した受け皿とを備え、前記調理庫内底面に係止され、前記受け皿下面摺動部を支持しかつ受け皿の左右方向へのがたつきを抑制し、材質を摩擦係数が低く、高耐熱性を有する金属あるいは樹脂とした底面摺動部材と、前記調理庫内側面に係止され前記受け皿の左右方向へのがたつきを抑制し、材質を摩擦係数が低く、高耐熱性を有する金属あるいは樹脂とした側面摺動部材を有し、前記調理庫と前記受け皿は接触しない構成としたものである。
【０００８】
これによって、受け皿が摺動される場合に、受け皿の下面の摺動部が受け皿とは異種の材料で構成されているため、二つの部材間の摩擦係数が小さくなる。そのことと、同質の受け皿と調理庫とが接触しない構成であるため、磨耗による摺動性の悪化を避けることができるため、レールを用いることなく、受け皿の摺動性が向上し、またレールに必要なスペースを庫内調理スペースとして利用できるものとなる。
【発明の効果】
【０００９】
本発明の加熱調理器は、加熱調理庫内のスペースの拡大を図り、受け皿の摺動性を向上させることができる。
【図面の簡単な説明】
【００１０】
【図１】本発明の実施の形態１における誘導加熱調理器の斜視図
【図２】本発明の実施の形態１における誘導加熱調理器の斜視詳細図
【図３】本発明の実施の形態１における誘導加熱調理器の部分拡大図
【図４】従来の加熱調理器の部分拡大図
【発明を実施するための形態】
【００１１】
第１の発明は、本発明の加熱調理器は、外郭を形成する本体と、開口部を前記本体前面に形成した加熱調理を行うためのホーロー処理した調理庫と、前記開口部を開閉する扉と、調理物等を載置し前記本体前後に摺動自在なホーロー処理した受け皿とを備え、前記調理庫内底面に係止され、前記受け皿下面摺動部を支持しかつ受け皿の左右方向へのがたつきを抑制し、材質を摩擦係数が低く、高耐熱性を有する金属あるいは樹脂とした底面摺動部材と、前記調理庫内側面に係止され前記受け皿の左右方向へのがたつきを抑制し、材質を摩擦係数が低く、高耐熱性を有する金属あるいは樹脂とした側面摺動部材を有し、前記調理庫と前記受け皿は接触しない構成としたものである。
【００１２】
これによって、受け皿が摺動される場合に、受け皿の下面の摺動部が受け皿とは異種の材料で構成されているため、二つの部材間の摩擦係数が小さくなる。そのことと、同質の受け皿と調理庫とが接触しない構成であるため、磨耗による摺動性の悪化を避けることができるため、レールを用いることなく、受け皿の摺動性が向上し、またレールに必要なスペースを庫内調理スペースとして利用できるため、一度に多くの食材を投入することができ、調理時間の短縮に繋がるなど利用者の利便性が高まる。
【００１３】
第２の発明は、特に、第１の発明の受け皿のホーロー処理面に親水性加工を施したことにより、受け皿に動物性の脂分などがこびりつきにくくなり、清掃性が高まり、利用者の利便性を向上させることが可能となる。
【００１４】
第３の発明は、特に、第１または第２の発明の受け皿を親水性のホーロー材で構成したことにより、受け皿に動物性の脂分などがこびりつきにくくなり、またこびりついたとしても、ホーロー材に新水性を持たせて一体としていることから、こすり取る際の耐磨耗性に優れ、経年変化時においても初期と同等の効果を発揮し、利用者の清掃性に関する利便性を高めることができる。
【００１５】
第４の発明は、特に、第１〜３のいずれか１つの発明の摺底面動部材と側面摺動部材にはグラファイトを添加した構成としたことにより、受け皿との摩擦係数をより小さくすることができるので、利用者は容易にかつ不快な思いをすることのない動きで調理することができ、利便性を更に向上させることができる。
【００１６】
第５の発明は、特に、第１〜４のいずれか１つの発明の底面摺動部材と側面摺動部材には二酸化モリブデンを添加した構成としたことにより、受け皿との摩擦係数をより小さくすることができるので、利用者は容易にかつ不快な思いをすることのない動きで調理することができ、利便性を更に向上させることができる。
【００１７】
第６の発明は、特に、第１〜５のいずれか１つの発明の側面摺動部材の材質をステンレスとした構成としたことにより、受け皿の上方で万が一調理物の発火などが起こったときに対しても耐熱を保持する構成とすることができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における誘導加熱調理器の斜視図である。本発明の実施の形態における誘導加熱調理器の主要構成部品を示すものである。但し、本実施の形態の説明に不要な構成部分については主要構成であっても省略している。図２は、本発明の第１の実施の形態における誘導加熱調理器の斜視詳細図を示す。図３は、本発明の第１の実施の形態における誘導加熱調理器の部分拡大図を示す。
【００２０】
図１において、誘導加熱調理器は、外郭１の天面には、被加熱調理器具を載置する天板２が配されている。天板２は高耐熱のガラス等の、電磁誘導によって加熱されない材質で構成されている。
【００２１】
トップフレーム３は、天板２の外周を囲み、本体の天面の一部もしくは殆ど全部を構成しており、天板２を介して伝わる、被加熱物からの熱に十分耐え、且つ外観部品として見栄えのよく、腐食にも強いステンレスやホーロー処理鋼板等の金属から成っている。
【００２２】
図２において、トップフレーム３に形成された天面操作部４の内部には、操作部ユニット等が配設されている。天板２の下方には誘導加熱コイル６が近接して設けられている。
【００２３】
誘導加熱コイル６は、コイルケース７に収納され、外郭１内の所定の位置に保持されている。誘導加熱コイル６には電源回路８によって高周波電力が供給される。誘導加熱コイル６及び電源回路８は冷却ファン９の送風によって冷却される。
【００２４】
外郭１内には、略箱形状のグリル調理器１０が配設されており、グリル調理器１０内に発熱して被加熱物を加熱するグリルヒーター１１によって加熱調理を行う。グリル調理器１０内には、調理物を載せる焼き網１２を載置した受け皿１３を収納してある。
【００２５】
グリル使用時はグリル調理器１０の開口部を覆うグリル扉１４は、受け皿１３に嵌着されており、グリル扉１４と受け皿１３は連動して前後に摺動する。グリル扉１４は、金属等に対して熱伝導率の低い合成樹脂等により形成された持ち手１５や、グリル内部での調理物の状態を観察できるように、ガラス等の耐熱性を有し且つ透明なガラス等から成る窓部１６等で構成されている。
【００２６】
これによってもわかるように、グリル調理器１０と受け皿１３は、本体の前後に摺動可能な位置関係となっている。摺動性とは、使用者が持ち手１５に力をかけて、受け皿１３をグリル調理器内から外へ出したり、グリル調理器内に収めたりする際の、摺動音と力加減による摩擦力の抵抗感により評価される。両者は、受け皿１３が庫内底面と側面に接することによって生じている。
【００２７】
受け皿１３の材質と底面、側面の材質が同等であれば、表面組織が似ているため、表面組織同士がくらいつくことになり、それが摩擦係数を増加させる。摩擦係数が増加している状態で、力がかかるとこすれ音と抵抗感の増大となって、利用者に感じられ、ここで言う摺動性を損なってしまう。
【００２８】
このことから、硬さの違うもの、すなわち異種の材料により受け皿をガイドおよび位置決めをさせ、摺動性を改善させる。
【００２９】
図３に示すように、庫内底面に係止され、受け皿１３の下面摺動部を支持しかつ受け皿の左右方向へのがたつきを抑制し、材質を摩擦係数が低く、高耐熱性を有する金属あるいは樹脂とした底面摺動部材１７を設けている。
【００３０】
底面摺動部材１７は、グリル調理庫内中心で左右に振り分けられて、対になって構成さ
れているため、受け皿１３を２箇所で支え、また左右方向へのガタツキも、振り分け幅によって調整することが可能となる。
【００３１】
底面摺動部材１７の形状は、接触する部分の応力集中を避けるため、受け皿１３と接する部分にはＲ加工が施されており、また庫内奥行き方向に受け皿を保持するに十分な長さがあるものである。
【００３２】
当然、受け皿１３側にも、底面摺動部材１７と接する部分で絞り加工が施されたり、応力集中をさけるＲ加工が施されていることは設計者が任意に選択できるということは、言うまでもない。また、係止方法については、ねじ止めが一般的であるが、スポット溶接や接着あるいは折り曲げによる係止や、かしめなど設計者が任意に選択できるということは、言うまでもない。
【００３３】
さらに、底面のみでは、受け皿側面と庫内側面の摩擦が生じるので、側面摺動部材１８を庫内側面に係止している。側面摺動部材１８は、受け皿１ａの左右方向へのがたつきを抑制し、材質を摩擦係数が低く、高耐熱性を有する樹脂としている。
【００３４】
側面摺動部材１８は、グリル調理庫内中心で左右に振り分けられて、対になって構成されているため、受け皿１３を２箇所で支える。取り付ける高さの位置は、受け皿の側面部分の高さで設計者が任意に調整できる。
【００３５】
また、側面摺動部材１８の形状は、接触する部分の応力集中を避けるため、Ｒ加工が施されており、また庫内奥行き方向に受け皿を保持するに十分な長さがあるものである。当然、受け皿１３側にも、底面摺動部材１７と接する部分で絞り加工が施されたり、応力集中をさけるＲ加工が施されていることは言うまでもない。
【００３６】
また、係止方法については、ねじ止めが一般的であるが、スポット溶接や接着あるいは折り曲げによる係止や、かしめなど設計者が任意に選択できるということは、言うまでもない。
【００３７】
本実施の形態では、受け皿をホーロー処理されたものとしているが、受け皿を別の材質、例えば、フッ素加工とした場合でも、底面摺動部材と側面摺動部材とは異質の材料を用いていれば、同様の効果が得られることはいうまでもない。
【００３８】
また、本実施の形態では、ホーロー処理された同質の受け皿と調理庫とが接触しない構成であるため、磨耗による摺動性の悪化を避けることができる。接触しないよう受け皿、底面摺動部材、側面摺動部材の形状を設計者が任意に選択できる。
【００３９】
本実施の形態では、庫内温度３００℃強であれば、庫内の受け皿の下部分では、樹脂であるならば温度２６０℃程度にも耐えることがポイントとなり、例としてはＰＰＳや焼結フッ素などが具体的な候補となる。
【００４０】
ＰＰＳ同士の動摩擦係数は０．４４程度であるが、ＰＰＳと軟鋼の場合であれば、０．３５程度まで下がる。さらに、摩擦係数が下がる組み合わせがあれば、設計者が任意に選択できることは言うまでもない。
【００４１】
同種材料であっても、表面形状を変化させることで同様の効果が得られるものであり、例えば、表面粗さを変えるとか酸化処理膜にて皮膜を形成するなどが考えられるものである。
【００４２】
さらに、更なる摩擦力低減のために、底面摺動部材１７と側面摺動部材１８に、潤滑材であるグラファイトや二酸化モリブデンや二硫化モリブデンなどを塗布してもよい。それぞれの面の間の凝着の発生と破壊によるものと、柔らかい材質側を変形させる力によるもの両方が関係している。
【００４３】
摩擦係数は、金属どうしで０．４ぐらいであるが、固体潤滑材（２硫化モリブデン・グラファイト）では、０．２程度まで低下する。固体潤滑材は、きわめて壊れやすい構造をもった、材料であることが摩擦力の低減に有効である。
【００４４】
さらに、受け皿１３のホーロー処理面に親水性の加工を施したり、受け皿１３の材質を親水性のホーロー材とすることで、利用者の清掃性を高めることができる。
【００４５】
このようにして、摺動性向上ために高価なレール構成にすることなく、安価で摺動性を確保できる構成とすることにより、機器の使いやすさが高まり、使用者にとってメリットが出るものとなる。
【００４６】
また、側面摺動部材１３をステンレスなどの金属とすることによって、万が一調理物が庫内において発火した場合に、庫内側面部への直火による影響を緩和して、継続的に使用可能な状態を保持することができるものである。
【産業上の利用可能性】
【００４７】
以上のように、本発明にかかる加熱調理器は、安全で使い勝手の良い加熱調理器であり、システムキッチンなどに組み込まれて使用される調理器、その他の調理機器に有効である。
【符号の説明】
【００４８】
１  外郭
１０  グリル調理器（調理庫）
１３  受け皿
１４  グリル扉（扉）
１５  持ち手
１６  窓部
１７  底面摺動部材
１８  側面摺動部材
【図１】
2010266134.tif 000003
【図２】
2010266134.tif 000004
【図３】
2010266134.tif 000005
【図４】
2010266134.tif 000006